(57)【要約】  ここで開示された側面は、ＮＦＣデバイスを動作するために使用可能な電力レベルを説明する一方で、ピアモードパッシブ通信を提供することに関する。開示された側面において、近接場通信（ＮＦＣ）デバイスは、ＮＦＣデバイスを動作するために使用可能な電力レベルに関する値を検出するために具備され得る。ＮＦＣデバイスは、決定された使用可能な電力レベル値に少なくとも部分的に基づいて、リスニングモードに割り当てるための第１の持続期間およびポーリングモードに割り当てるための第２の持続期間を決定し、前記決定された第１の持続期間および第２の持続期間に基づいて、ＲＦ発見ループを選択するためにさらに具備され得る。ＮＦＣデバイスは、選択されたＲＦ発見ループを用いてピアモード発見を実行するためにさらに動作可能であり得る。
2015517283.tif 000002
【特許請求の範囲】
【請求項１】
無線通信の方法であって、
近接場通信（ＮＦＣ）デバイスを動作するために使用可能な電力レベルに関する値を検出することと、
前記決定された使用可能な電力レベル値に少なくとも部分的に基づいて、リスニングモードに割り当てるための第１の持続期間とポーリングモードに割り当てるための第２の持続期間を決定することと、
前記決定された第１の持続期間および第２の持続期間に基づいて、ＲＦ発見ループを選択することと、
前記選択されたＲＦ発見ループを用いてピアモード発見を実行すること、
を備える方法。
【請求項２】
前記ＲＦ発見ループは、前記ＮＦＣデバイスに格納された１つ又は複数のＲＦ発見ループから選択される、請求項１に記載の方法。
【請求項３】
前記ＮＦＣデバイスに格納された各ＲＦ発見ループは、異なる第１の持続期間および第２の持続期間によって定義される、請求項２に記載の方法。
【請求項４】
前記ＮＦＣデバイスに格納された各ＲＦ発見ループは、前記第１の持続期間および前記第２の持続期間に関する発生の異なる頻度によって特徴づけられる、請求項２に記載の方法。
【請求項５】
前記使用可能な電力レベル値は、第１の閾値を下回るかまたはそれに等しく、
ここにおいて、前記第１および第２の持続期間を決定することは、前記第２の持続期間より前記第１の持続期間により長い時間を割り当てることをさらに備える、請求項１に記載の方法。
【請求項６】
前記使用可能な電力レベル値は、第２の閾値を上回り、
ここにおいて、前記第１および第２の持続期間を決定することは、前記第１の持続期間より前記第２の持続期間により長い時間を割り当てることをさらに備える、請求項１に記載の方法。
【請求項７】
前記使用可能な電力レベル値が、前記デバイスは充電中であることを示し、
ここにおいて、前記第１および第２の持続期間を前記決定することは、前記第１の持続期間より前記第２の持続期間により長い時間を割り当てることをさらに備える、請求項１に記載の方法。
【請求項８】
前記使用可能な電力レベル値は、前記デバイスが、ほぼ継続的な電源に接続されることを示し、
ここにおいて、前記第１および第２の持続期間を前記決定することは、ＲＦ発見ループ内で使用可能なほぼ全ての時間を前記第２の持続期間に割り当てることをさらに備える、請求項１に記載の方法。
【請求項９】
前記使用可能な電力レベル値が、バッテリーからの使用可能な電力の割合値を示し、
ここにおいて、前記第１および第２の持続期間を前記決定することは、前記使用可能な電力レベル値を示す前記割合値にほぼ等しい時間の割合を前記第２の持続期間に割り当てることをさらに備える、請求項１に記載の方法。
【請求項１０】
前記第１および第２の持続期間を前記決定することは、ユーザ入力、デバイスの位置、デバイスの方位、デバイスの動き、または電力消費の履歴のうちの少なくとも１つにさらに基づく、請求項１に記載の方法。
【請求項１１】
コンピュータ可読媒体を備えるコンピュータプログラムプロダクトであって、
前記コンピュータ可読媒体は、
近接場通信（ＮＦＣ）デバイスを動作するために使用可能な電力レベルに関する値を検出し、
前記決定された使用可能な電力レベル値に少なくとも部分的に基づいて、リスニングモードに割り当てるための第１の持続期間とポーリングモードに割り当てるための第２の持続期間を決定し、
前記決定された第１の持続期間および第２の持続期間に基づいて、ＲＦ発見ループを選択し、
前記選択されたＲＦ発見ループを用いてピアモード発見を実行する、
ためのコードを備える、
コンピュータプログラムプロダクト。
【請求項１２】
前記ＲＦ発見ループは、前記ＮＦＣデバイスに格納された１つ又は複数のＲＦ発見ループから選択される、請求項１１に記載のコンピュータプログラムプロダクト。
【請求項１３】
前記ＮＦＣデバイスに格納された各ＲＦ発見ループは、異なる第１の持続期間および第２の持続期間によって定義される、請求項１２に記載のコンピュータプログラムプロダクト。
【請求項１４】
前記ＮＦＣデバイスに格納された各ＲＦ発見ループは、前記第１の持続期間および前記第２の持続期間に関する発生の異なる頻度によって特徴付けられる、請求項１２に記載のコンピュータプログラムプロダクト。
【請求項１５】
前記使用可能な電力レベル値は、第１の閾値を下回るかまたはそれに等しく、
ここにおいて、前記コンピュータ可読媒体は、前記第２の持続期間より前記第１の持続期間により長い時間を割り当てるためのコードをさらに備える、請求項１１に記載のコンピュータプログラムプロダクト。
【請求項１６】
前記使用可能な電力レベル値は、第２の閾値を上回り、
ここにおいて、前記コンピュータ可読媒体は、前記第１の持続期間より前記第２の持続期間により長い時間を割り当てるためのコードをさらに備える、請求項１１に記載のコンピュータプログラムプロダクト。
【請求項１７】
前記使用可能な電力レベル値が、前記デバイスが充電中であることを示し、
ここにおいて、前記コンピュータ可読媒体は、前記第１の持続期間より前記第２の持続期間により長い時間を割り当てるためのコードをさらに備える、請求項１１に記載のコンピュータプログラムプロダクト。
【請求項１８】
前記使用可能な電力レベル値は、前記デバイスが、ほぼ継続的な電源に接続されることを示し、
ここにおいて、前記コンピュータ可読媒体は、ＲＦ発見ループ内で使用可能なほぼ全ての時間を前記第２の持続期間に割り当てるためのコードをさらに備える、請求項１１に記載のコンピュータプログラムプロダクト。
【請求項１９】
前記使用可能な電力レベル値が、バッテリーからの使用可能な電力の割合値を示し、
ここにおいて、前記コンピュータ可読媒体は、前記使用可能な電力レベル値を示す前記割合値にほぼ等しい時間の割合を前記第２の持続期間に割り当てるためのコードをさらに備える、請求項１８に記載のコンピュータプログラムプロダクト。
【請求項２０】
前記コンピュータ可読媒体は、
ユーザ入力、デバイスの位置、デバイスの方位、デバイスの動き、または電力消費の履歴のうちの少なくとも１つにさらに基づく前記第１および第２の持続期間を決定するためのコードをさらに備える、請求項１１に記載のコンピュータプログラムプロダクト。
【請求項２１】
近接場通信（ＮＦＣ）デバイスを動作するために使用可能な電力レベルに関する値を検出するための手段と、
前記決定された使用可能な電力レベル値に少なくとも部分的に基づいて、リスニングモードに割り当てるための第１の持続期間とポーリングモードに割り当てるための第２の持続期間を決定するための手段と、
前記決定された第１の持続期間および第２の持続期間に基づいて、ＲＦ発見ループを選択するための手段と、
前記選択されたＲＦ発見ループを用いてピアモード発見を実行するための手段、
を備える装置。
【請求項２２】
前記ＲＦ発見ループは、前記ＮＦＣデバイスに格納された１つ又は複数のＲＦ発見ループから選択される、請求項２１に記載の装置。
【請求項２３】
前記ＮＦＣデバイスに格納された各ＲＦ発見ループは、異なる第１の持続期間および第２の持続期間によって特徴づけられる、請求項２２に記載の装置。
【請求項２４】
前記ＮＦＣデバイスに格納された各ＲＦ発見ループは、前記第１の持続期間および前記第２の持続期間に関する発生の異なる頻度によって定義される、請求項２２に記載の装置。
【請求項２５】
前記使用可能な電力レベル値は、第１の閾値を下回るかまたはそれに等しく、
ここにおいて、前記第１および第２の持続期間を決定するための手段は、前記第２の持続期間より前記第１の持続期間により長い時間を割り当てるための手段をさらに備える、請求項２１に記載の装置。
【請求項２６】
前記使用可能な電力レベル値が第２の閾値を上回り、
ここにおいて、前記第１および第２の持続期間を決定するための手段は、前記第１の持続期間より前記第２の持続期間により長い時間を割り当てるための手段をさらに備える、請求項２１に記載の装置。
【請求項２７】
前記使用可能な電力レベル値が、前記デバイスは充電中であることを示し、
ここにおいて、前記第１および第２の持続期間を決定するための手段は、前記第１の持続期間より前記第２の持続期間により長い時間を割り当てるための手段をさらに備える、請求項２１に記載の装置。
【請求項２８】
前記使用可能な電力レベル値が、前記デバイスは、ほぼ継続的な電源に接続されることを示し、
ここにおいて、前記第１および第２の持続期間を決定するための手段は、ＲＦ発見ループ内で使用可能なほぼ全ての時間を前記第２の持続期間に割り当てるための手段をさらに備える、請求項２１に記載の装置。
【請求項２９】
前記使用可能な電力レベル値が、バッテリーからの使用可能な電力の割合値を示し、
ここにおいて、前記第１および第２の持続期間を決定するための手段は、前記使用可能な電力レベル値を示す前記割合値にほぼ等しい時間の割合を前記第２の持続期間に割り当てるための手段をさらに備える、請求項２１に記載の装置。
【請求項３０】
前記第１および第２の持続期間を決定するための手段は、ユーザ入力、デバイスの位置、デバイスの方位、デバイスの動き、または電力消費の履歴のうちの少なくとも１つにさらに基づく、請求項２１に記載の装置。
【請求項３１】
ＮＦＣ通信のための装置であって、前記装置は、
電源と、
メモリと、
前記メモリに結合されたプロセッサと、
前記メモリまたは前記プロセッサのうちの少なくとも１つに結合されたＲＦ発見ループ選択モジュールを備え、
前記電源を用いて動作するために使用可能な電力レベルに関する値を検出し、
前記決定された使用可能な電力レベル値に少なくとも部分的に基づいて、リスニングモードに割り当てるための第１の持続期間およびポーリングモードに割り当てるための第２の持続期間を決定し、
前記決定された第１の持続期間および第２の持続期間に基づいて、ＲＦ発見ループを選択し、
前記選択されたＲＦ発見ループを用いてピアモード発見を実行する、
ように構成される、装置。
【請求項３２】
前記ＲＦ発見ループは、前記ＮＦＣデバイスの前記メモリに格納された１つ又は複数のＲＦ発見ループから選択される、請求項３１に記載の装置。
【請求項３３】
前記ＮＦＣデバイスの前記メモリに格納された各ＲＦ発見ループは、異なる第１の持続期間および第２の持続期間によって定義される、請求項３２に記載の装置。
【請求項３４】
前記ＮＦＣデバイスの前記メモリに格納された各ＲＦ発見ループは、前記第１の持続期間および前記第２の持続期間に関する発生の異なる頻度によって特徴づけられる、請求項３２に記載の装置。
【請求項３５】
前記電源に関連する前記使用可能な電力レベル値は、第１の閾値を下回るかまたはそれに等しく、
ここにおいて、前記ＲＦ発見ループ選択モジュールは、前記第２の持続期間より前記第１の持続期間により長い時間を割り当てるようにさらに構成される、請求項３１に記載の装置。
【請求項３６】
前記電源に関連する前記使用可能な電力レベル値は、第２の閾値を上回り、
ここにおいて、前記ＲＦ発見ループ選択モジュールは、前記第１の持続期間より前記第２の持続期間により長い時間を割り当てるようにさらに構成される、請求項３１に記載の装置。
【請求項３７】
前記電源に関連する前記使用可能な電力レベル値が、前記デバイスが充電中であることを示し、
ここにおいて、前記ＲＦ発見ループ選択モジュールは、前記第１の持続期間より前記第２の持続期間により長い時間を割り当てるようにさらに構成される、請求項３１に記載の装置。
【請求項３８】
前記電源に関連する前記使用可能な電力レベル値は、前記デバイスが、ほぼ継続的な電源に接続されることを示し、
ここにおいて、前記ＲＦ発見ループ選択モジュールは、ＲＦ発見ループ内で使用可能なほぼ全ての時間を前記第２の持続期間に割り当てるようにさらに構成される、請求項３１に記載の装置。
【請求項３９】
前記使用可能な電力レベル値は、バッテリーからの使用可能な電力の割合値を示し、
ここにおいて、前記ＲＦ発見ループ選択モジュールは、前記使用可能な電力レベル値を示す前記割合値にほぼ等しい時間の割合を前記第２の持続期間に割り当てるようにさらに構成される、請求項３１に記載の装置。
【請求項４０】
前記ＲＦ発見ループ選択モジュールは、ユーザ入力、デバイスの位置、デバイスの方位、デバイスの動き、または電力消費の履歴のうちの少なくとも１つにさらに基づく前記第１および第２の持続期間を決定するようにさらに構成される、請求項３１に記載の装置。
【発明の詳細な説明】
【技術分野】
【０００１】
[0001]開示された側面は、デバイスの間および／またはデバイス内の通信に一般的に関し、ピアモードパッシブ通信接続の確立に関連する無線周波数（ＲＦ）発見プロセスを向上するための方法およびシステムに特に関する。
【背景技術】
【０００２】
[0002]技術の進歩は、より小型でより強力な個人向けコンピューティングデバイスをもたらした。例えば、それぞれ、小型で、軽量、およびユーザによって容易に持ち運び可能なポータブル無線電話、個人用ディジタル補助装置（ＰＤＡ）、およびペイジングデバイスのような無線コンピューティングデバイスを含む種々のポータブル個人向けコンピューティングデバイスが、今日、存在する。さらに具体的には、ポータブル無線電話は、例えば、無線ネットワークを介して音声およびデータパケットをやり取りするセルラー電話をさらに含む。こういったセルラー電話の多くは、コンピュータの処理能力が比較的大幅に増大して製造されており、例えば、小型のパーソナルコンピュータおよびハンドヘルドＰＤＡと等価である。さらに、こういったデバイスは、セルラー通信、無線ローカル領域ネットワーク（ＷＬＡＮ）通信、近接場通信（near filed communication)（ＮＦＣ）等の種々の周波数および適用可能なカバレッジ領域を使用して、通信を有効にするように製造されている。
【０００３】
[0003]ＮＦＣ対応デバイスは、ポーリングモードおよび／またはリスニングモードで動作し得る。ポーリングモードで動作する時に、デバイスは、遠隔デバイスにエネルギーを供給できるＲＦキャリアを生成する。ポーリングデバイスは、遠隔デバイスとの通信を開始するために、ＲＦキャリアを適切に変調し得る。リスニングモードで動作するときに、デバイスは、どんなＲＦキャリアも生成しないが、遠隔デバイスからのキャリアにさらされる時に、デバイスはフィールドからエネルギーを取り入れ、通信を開始するために入ってくる変調を復号し得る。通信が確立されると、ピアデバイスは、それぞれのポーリングまたはリスニングモードに留まったままになる。こういった通信は、パッシブ通信と呼ばれる（例えばＩＳＯ１８０９２パッシブ通信）。現在、ＮＦＣデバイスは、ＩＳＯ  １８０９２パッシブ通信を用いる通信に対してのみ動作可能である。このように、一度リンクが確立されると、ポーリングまたはリスニングデバイスとしての役割は、通信の持続期間の間固定される。ピアモードオペレーションに関して、この通信持続期間は、トランジットアクセスまたはペイ・バイ・モバイル（ｐａｙ ｂｙ ｍｏｂｉｌｅ）のような短いタッチ・トゥー・ドゥーオペレーションよりも長い間継続し得る。
【０００４】
[0004］ポーリングデバイスは遠隔ピアデバイスにエネルギーを供給するＲＦキャリアを生成するので、および、ポーリングデバイスおよびリスニングデバイスの役割はピア通信の継続期間の間固定されるので、ポーリングデバイスでの電力使用の需要はリスニングデバイスでの電力使用の需要よりも不釣り合いに大きくなり得る（例えば、ポーリングデバイスは、アンテナを駆動するためだけに数十ミリアンペアを使用し得る）。ＲＦ発見の間、デバイスは、一般的に、ポーリングおよびリスニングモードの間を周期的に行き来し得る。言い換えると、今のところ、通信が確立すると、ピアデバイスがポーリングデバイスに結果的になるというのは、時の運である。このように、低い使用可能な電力領域で動作しているデバイスはさらに、ピアデバイスと関連する使用可能な電力レベルに関係なく、ピア通信の際にポーリングデバイスであることに関連する電力需要に関して義務があり得る。したがって、ＮＦＣデバイスを動作するのに使用可能な電力レベルを考慮するピアモードパッシブ通信を実現するための改良された装置および方法が望まれ得る。
【発明の概要】
【０００５】
[0005]こういった側面の基本的な理解をもたらすために、１つまた複数の側面の簡単な概要を下記に表す。この概要は、熟考された全ての側面の詳細に及ぶ要旨ではなく、全ての側面の主要なまたは重要な要素を識別する意図も、いくつかのまたは全ての側面の範囲を説明する意図もない。概要の単なる目的は、下記に表されるより詳細な説明への前置きとして、簡略化された形式で、１つまた複数の側面のうちのいくつかの概念を表すことである。
【０００６】
[0006]１つまた複数の側面およびそれらの対応する開示にしたがって、種々の側面は、ＮＦＣデバイスを動作するために使用可能な電力レベルを説明する一方で、ピアモードパッシブ通信を提供することに関連して記載される。１つの例において、ＮＦＣデバイスは、ＮＦＣデバイスを動作するために使用可能な電力レベルに関する値を検出するために具備され得る。ＮＦＣデバイスは、決定された使用可能な電力レベル値に少なくとも部分的に基づいて、リスニングモードに割り当てるための第１の持続期間およびポーリングモードに割り当てるための第２の持続期間を決定し、決定された第１および第２の持続期間に基づいてＲＦ発見ループを選択するためにさらに具備され得る。ＮＦＣデバイスは、選択されたＲＦ発見ループを用いて、ピアモード発見を実行するためにさらに動作し得る。
【０００７】
[0007]関連する側面にしたがって、ＮＦＣデバイスのための改良されたピアモードパッシブ通信を提供するための方法が提供される。方法は、ＮＦＣデバイスを動作するために使用可能な電力レベルに関する値を検出することを含むことができる。さらに、方法は、決定された使用可能な電力レベル値に少なくとも部分的に基づいて、リスニングモードに割り当てるための第１の持続期間とポーリングモードに割り当てるための第２の持続期間を決定することを含み得る。さらに、方法は、決定された第１の持続期間と第２の持続期間に基づいて、ＲＦ発見ループを選択することを含み得る。さらに、方法は、選択されたＲＦ発見ループを用いて、ピアモード発見を実行することを含むことができる。
【０００８】
[0008]別の側面は、通信装置に関する。この無線通信装置は、ＮＦＣデバイスを動作するために使用可能な電力レベルに関する値を検出するための手段を含むことができる。さらに、通信装置は、決定された使用可能な電力レベル値に少なくとも部分的に基づいて、リスニングモードに割り当てるための第１の持続期間およびポーリングモードに割り当てるための第２の持続期間を決定するための手段を含むことができる。さらに、通信装置は、決定された第１の持続期間および第２の持続期間に基づいて、ＲＦ発見ループを選択するための手段を含むことができる。さらに、通信装置は、選択されたＲＦ発見ループを用いて、ピアモード発見を実行するための手段を含むことができる。
【０００９】
[0009]別の側面はＮＦＣ通信のための装置に関する。この装置は、電源と、メモリと、メモリに結合されたプロセッサを含むことができる。装置は、メモリまたはプロセッサの内の少なくとも１つに接続されるＲＦ発見ループ選択モジュールをさらに含み、電源を用いて動作するために使用可能な電力レベルに関する値を検出するように構成され得る。さらに、ＲＦ発見ループ選択モジュールは、決定された使用可能な電力レベル値に少なくとも部分的に基づいて、リスニングモードに割り当てるための第１の持続期間およびポーリングモードに割り当てるための第２の持続期間を決定するように構成され得る。さらに、ＲＦ発見ループ選択モジュールは、決定された第１の持続期間および第２の持続期間に基づいて、ＲＦ発見ループを選択するように構成され得る。さらに、ＲＦ発見ループ選択モジュールは、選択されたＲＦ発見ループを用いて、ピアモード発見を実行するように構成され得る。
【００１０】
[0010]別の側面は、コンピュータプログラム製品に関し、それは、ＮＦＣデバイスを動作するために使用可能な電力レベルに関する値を検出するためのコードを備えるコンピュータ可読媒体を持つことができる。さらに、コンピュータ可読媒体は、決定された第１の持続期間および第２の持続期間に基づいて、ＲＦ発見ループを選択するためのコードを含むことができる。さらに、コンピュータ可読媒体は、決定された第１の持続期間および第２の持続期間に基づいて、ＲＦ発見ループを選択するためのコードを含むことができる。さらに、コンピュータ可読媒体は、選択されたＲＦ発見ループを用いて、ピアモード発見を実行するためのコードを含むことができる。
【００１１】
[0011]前述および関連した部分を実現するために、１つまた複数の側面は、以下で十分に説明され、および特に請求項において指摘される特徴を備える。次の説明および添付の図面は、１つまた複数の側面のいくつかの例示的な特徴を詳細に説明する。これらの特徴は、種々の方法のうちのいくつかを示しているが、それらの方法において、種々の側面の原則が用いられ得、そしてこの説明は、すべてのこういった側面およびそれらの等価物を含むことを意図する。
【図面の簡単な説明】
【００１２】
[0012]開示された側面は、以下に、添付された図面と関連して記載され、開示された側面を示すように提供されるが、それを限定することはなく、そこにおいて、同様の名称は同様の要素を指す。
【図１】[0013]図１は、ある側面にしたがった近接場無線通信システムのブロック図を示す。
【図２】[0014]図２は、ある側面にしたがった近接場通信転送システムの模式図を示す。
【図３】[0015]図３は、ある側面にしたがったＮＦＣ環境のブロック図を示す。
【図４】[0016]図４は、ある側面にしたがったピアモードパッシブ通信に関するＲＦ発見を向上するためのシステムの一例を説明するフローチャートを示す。
【図５】[0017]図５は、ある側面にしたがったピアモードパッシブ通信に関するＲＦ発見を向上するためのシステムの別の例を説明するフローチャートを示す。
【図６】[0018]図６は、ある側面にしたがって、通信デバイスの構成例を示すブロック図を示す。
【図７】[0019]図７は、ある側面にしたがって、豊富なユーザプロファイルを使用するための通信システムの一例のブロック図を示す。
【詳細な説明】
【００１３】
[0020]様々な側面は、これから、図面を参照して説明される。次の記載において、説明の目的のために、多数の特定の詳細が、１つまたは複数の側面の全体の理解をもたらすために説明される。しかし、こういった側面（複数）は、これらの具体的な詳細が無くても実施され得ることは明白である。
【００１４】
[0021]一般的に、デバイスは、ＮＦＣデバイスおよび／またはタグのカバレッジ領域の範囲内にある時に、ＮＦＣターゲットデバイスおよび／またはタグを認識し得る。その後、デバイスは、通信が確立されるのを可能にするのに十分な情報を取得し得る。確立され得る通信のうちの１つの形式はピアツーピア通信リンクである。ここに記載されるように、ピアツーピア通信リンクにわたって有効な通信は、パッシブ通信モードを使用し得る。パッシブ通信モードにおいて、各ピアは、確立されたリンクの全体に関してポーリングデバイスまたはリスニングデバイスとしてそのステータスを維持する。さらに、ポーリングモードに維持されるデバイスに関する電力消費は、ピアツーピア通信リンクの間、リスニングモードに維持されるデバイスに関する電力消費よりも不均一に上回る。
【００１５】
[0022]図１は、本発明の種々の例示的な実施例にしたがって、無線通信システム１００を示す。入力電力１０２は、エネルギー転送を実現するための放射フィールド１０６を生成するための送信機１０４に提供され得る。受信機１０８は放射フィールド１０６に結合し、および出力電力１１０に結合されるデバイス（不図示）によって蓄積または消費するための出力電力１１０を生成する。送信機１０４と受信機１０８の両方は距離１１２だけ離れている。１つの例示的な実施例において、送信機１０４および受信機１０８は、相互共振関係にしたがって構成され、受信機１０８の共振周波数と送信機１０４の共振周波数が非常に近い場合、送信機１０４と受信機１０８の間の送信損失は、受信機１０８が放射フィールド１０６の「近接場」にある時に最小となる。
【００１６】
[0023]送信機１０４は、エネルギー送信のための手段を提供するための送信アンテナ１１４をさらに含み、受信機１０８は、エネルギー受信のための手段を提供するための受信アンテナ１１８をさらに含む。送信および受信アンテナは、それらに関連するアプリケーションおよびデバイスにしたがった大きさにされる。記載された通り、効率的なエネルギー転送は、電磁波のほとんどのエネルギーを遠方のフィールドに伝搬するよりも、送信中のアンテナの近接場内の大部分のエネルギーを受信中のアンテナに結合することによって生じる。この近接場内にある時に、カップリングモードは、送信アンテナ１１４と受信アンテナ１１８の間で発展し得る。この近接場カップリングが生じ得る場合のアンテナ１１４および１１８の周囲の領域は、ここではカップリングモード領域と称される。
【００１７】
[0024]図２は、近接場無線通信システムの簡略化された模式図を示す。送信機２０４は、オシレータ２２２、電力増幅器２２４、フィルタ、およびマッチング回路２２６を含む。オシレータは、望ましい周波数で信号を生成するように構成され、それは、調整信号２２３に応じて調整され得る。オシレータ信号は、制御信号２２５に対応する増幅量を持つ電力増幅器２２４によって増幅され得る。フィルタおよびマッチング回路２２６は、高調波またはその他の望ましくない周波数を除去し、送信機２０４のインピーダンスを送信アンテナ２１４にマッチさせるために含まれ得る。
【００１８】
[0025]受信機２０８は、図２に示されるように、マッチング回路２３２、および、バッテリー２３６を充電するために、または（不図示の）受信機に結合されたデバイスに電力を供給するために、ＤＣ電力出力を生成するための、整流装置およびスイッチング回路２３４を含み得る。マッチング回路２３２は、受信機２０８のインピーダンスを受信アンテナ２１８にマッチさせるために含まれ得る。受信機２０８と送信機２０４は、別の通信チャンネル２１９（例えば、Ｂｌｕｅｔｏｏｔｈ（登録商標）、Ｚｉｇｂｅｅ（登録商標）、セルラー等）上で通信し得る。
【００１９】
[0026]図３を参照して、通信ネットワーク３００のブロック図は、ある側面にしたがって例示される。通信ネットワーク３００は通信デバイス３１０含んでも良く、通信デバイス３１０は、アンテナ３２４を経由して、１つまたは複数のＮＦＣ技術３２６（例えば、ＮＦＣ−Ａ、ＮＦＣ−Ｂ、ＮＦＣ−Ｆ、など）を用いて、遠隔ＮＦＣデバイス３３０と通信し得る。ある側面において、遠隔ＮＦＣデバイス３３０および／または通信デバイス３１０は、パッシブ通信モード３３８において、１つまたは複数のＲＦプロトコル３３６を用いて、１つまたは複数のＲＦインターフェース３３４を経由し、ＮＦＣピアツーピアピア通信モジュール３３２を経由して通信するように動作し得る。別の側面において、通信デバイス３１０は、アクセスネットワークおよび／またはコアネットワーク（例えば、ＣＤＭＡネットワーク、ＧＰＲＳネットワーク、ＵＭＴＳネットワーク、および他のタイプの有線および無線通信ネットワーク）に接続されるように動作し得る。ある側面において、遠隔ＮＦＣデバイス３３０は、遠隔ＮＦＣタグ、読取り／書込みデバイス、ピア・イニシエータ・デバイス、リモートピア・ターゲット・デバイス等を含み得るが、それらに限定されない。
【００２０】
[0027]通信デバイス３１０は、ＮＣＩ３２０を含み得る。ある側面において、ＮＣＩ３２０はＮＦＣ対応アンテナとＮＦＣコントローラ３１２の間の通信を有効にするように動作し得る。
【００２１】
[0028]通信デバイス３１０は、ＮＦＣコントローラ（ＮＦＣＣ）３１２を含み得る。ある側面において、ＮＦＣＣ３１２は、ＲＦ発見モジュール３１４を含み得る。ＲＦ発見モジュール３１４は、ピアモード通信を有効にするために、発見プロセスの一部としてＲＦ発見ループを用いてＲＦ発見を実行するように動作し得る。ＤＨ３４０は、ＲＦ発見と関連する種々の機能を実行するためにＮＦＣＣ３１２を促すコマンドを生成するように動作し得る。
【００２２】
[0029]通信デバイス３１０は、ＲＦ発見ループ選択モジュール３５０を含み得る。ＲＦ発見ループ選択モジュール３５０は、ＲＦ発見プロセスの間使用するためのＲＦ発見ループを選択するように動作し得る。ここで用いられるように、ＲＦ発見ループは、ＮＦＣピア通信発見プロセスの間、少なくとも１つのリスニングモードおよび／またはポーリングモードオペレーションに割り当てられる１つまたは複数のサブ持続期間を含む時間の持続期間を指し得る。ある側面において、ＲＦ発見ループは、通信デバイス３１０に格納する１つまたは複数のＲＦ発見ループの選択肢から選択され得る。別の側面において、ＲＦ発見ループ選択モジュール３５０は、これらに限定されないが、ユーザ入力、デバイスの位置、デバイスの方位、デバイスの動き、または電力消費の履歴、または任意のそれらの組み合わせのような１つまたは複数の要素に基づいてＲＦ発見ループを選択し得る。ある側面において、ＲＦ発見ループ選択モジュール３５０は、ポーリングモードおよび／またはリスニングモジュール持続期間決定モジュール３５２を含み得る。ポーリングモードおよび／またはリスニングモジュール持続期間決定モジュール３５２は、通信デバイス３１０が少なくとも１つのポーリングモードまたはリスニングモードで動作可能である間の持続期間を決定するように動作し得る。ある側面において、ポーリングモードおよび／またはリスニングモジュール持続期間決定モジュール３５２は、通信デバイス３１０を動作するために用いられる電源３６０と関連する使用可能な電力レベル３６２の解析を通じて、ポーリングおよび／またはリスニングモードオペレーションのための持続期間の長さを決定し得る。
【００２３】
[0030]ある動作の側面において、使用可能な電力レベル３６２が、低い閾値（例えば、２０％を下回る電池の寿命が残っている）を下回る場合、ポーリングモードおよび／またはリスニングモジュール持続期間決定モジュール３５２は、ポーリングモードのための持続期間の長さより長いリスニングモードのための持続期間の長さを決定し得る。それにしたがって、ＲＦ発見ループ選択モジュール３５０は、リスニングおよびポーリングのために決定された持続期間の長さを含むＲＦ発見ループを選択し得、および通信デバイス３１０は、ＲＦ発見を実行するために、選択されたＲＦ発見ループを用い得る。こういった側面において、より長い時間の持続期間がＲＦ発見ループの間のリスニングに割り当てられると、通信デバイス３１０は、リスニングデバイスとして遠隔ＮＦＣデバイス３３０との接続のより多くのチャンスを持ち、その結果、ピア通信と関連する電力需要を潜在的に減らす。
【００２４】
[0031]別の動作の側面において、使用可能な電力レベル３６２が、高い閾値（例えば、８０％より多い電池寿命が残っている）を上回る場合、ポーリングモードおよび／またはリスニングモジュール持続期間決定モジュール３５２は、リスニングモードのための持続期間の長さより長いポーリングモードのための持続期間の長さを決定し得る。したがって、ＲＦ発見ループ選択モジュール３５０は、リスニングおよびポーリングのために決定された持続期間の長さを含むＲＦ発見ループを選択し得、および通信デバイス３１０は、ＲＦ発見を実行するために選択されたＲＦ発見ループを使用し得る。こういった側面において、より長い時間の持続期間がＲＦ発見ループの間のポーリングに割り当てられると、通信デバイス３１０は、ポーリングデバイスとして遠隔ＮＦＣデバイス３３０との接続のより多くのチャンスを持ち、その結果、ピア通信と関連する遠隔ＮＦＣデバイス３３０に関する電力需要を潜在的に減らすことになる。
【００２５】
[0032]さらに別の動作の側面において、使用可能な電力レベル３６２は、デバイスが充電を行っているまたはほぼ継続的な電源に関連している（例えば、電源出力に差し込まれている）ことを示す場合、ポーリングモードおよび／またはリスニングモジュール持続期間決定モジュール３５２は、ＲＦ発見ループにおいて使用可能な時間のほぼ大部分であるポーリングモードのための持続期間の長さを決定し得る（例えば、９０％）。したがって、ＲＦ発見ループ選択モジュール３５０は、少なくともポーリングのために決定された持続期間の長さを含むＲＦ発見ループを選択し得、通信デバイス３１０は、ＲＦ発見を実行するために、選択されたＲＦ発見ループを使用し得る。こういった側面において、より長い時間の持続期間がＲＦ発見ループの間のポーリングに割り当てられると、通信デバイス３１０は、ポーリングデバイスとして遠隔ＮＦＣデバイス３３０との接続のより多くのチャンスを持ち、その結果、ピア通信と関連する遠隔ＮＦＣデバイス３３０に関する電力需要を潜在的に減らすことになる。
【００２６】
[0033]したがって、システムおよび方法は、通信デバイス３１０と遠隔ＮＦＣデバイス３３０の間のピアモードパッシブ通信に向上したＲＦ発見を提供するために開示される。
【００２７】
[0034]図４-５は、提示された主題の様々な側面にしたがって様々な手順を示す。説明を簡単にする目的で、手順は、一連の動作または連続したステップとして示されおよび記載されるが、いくつかの動作は、ここで示され、かつ説明されるのとは異なる順序で、および／または同時に生じ得るので、請求された主題は、動作の順序によって限定されないことが理解および評価されるだろう。例えば、当業者は、状態図にあるように、手順が一連の相互に関連する状態または事象として表されることが代替としてできることを理解および評価するだろう。さらに、全ての例示された動作が請求された主題にしたがった手順を実施するために必要とされるわけではない。さらに、下記でおよび本願を通じて開示された手順は、こういった手順をコンピュータへの移送および転送を容易にするための製造品（ａｒｔｉｃｌｅ  ｏｆ  ｍａｎｕｆａｃｔｕｒｅ）に保存可能であることがさらに評価されるべきである。本願において用いられるように、製造品の用語は、コンピュータ可読デバイス、キャリア、または媒体からアクセス可能なコンピュータプログラムを抱合するよう意図されている。
【００２８】
[0035]図４は、ピアモードパッシブ通信のためのＲＦ発見を向上するためのプロセス４００を説明するフローチャートの例を示す。
【００２９】
[0036]ブロック４０２において、ＮＦＣデバイスは、ＮＦＣを動作するために使用可能な電力レベルに関する値を検出し得る。ある側面において、その値は、ＮＦＣデバイスを動作するために残存する電池寿命の割合を示し得る。別の側面において、その値は、ＮＦＣデバイスを動作するために残存している電池寿命の時間数を示し得る。別の側面において、その値は、ＮＦＣデバイスが、ほぼ継続的な電源に接続されるかどうかを示し得る（例えば、充電中、電源出力に接続されている、など）。
【００３０】
[0037]４０４において、ＮＦＣデバイスは、決定された使用可能な電力レベル値に少なくとも部分的に基づいて、リスニングモードに割り当てるための第１の持続期間およびポーリングモードに割り当てるための第２の持続期間を決定し得る。ある側面において、使用可能な電力レベル値が第１の閾値（例えば、低い閾値）を下回るかまたはそれに等しい場合、ＮＦＣデバイスは、第２の持続期間より第１の持続期間により多くの時間を割り当てることを決定し得る。別の側面において、使用可能な電力レベル値が第２の閾値（例えば、高い閾値）より高い場合、ＮＦＣデバイスは、第１の持続期間より第２の持続期間により多くの時間を割り当てることを決定し得る。別の側面において、使用可能な電力レベル値が、装置が充電中であることを示す場合、ＮＦＣデバイスは、第１の持続期間より第２の持続期間により多くの時間を割り当てることを決定し得る。別の側面において、使用可能な電力レベル値が、装置がほぼ継続的な電源に接続されていることを示す場合、ＮＦＣデバイスは、ＲＦ発見ループにおいて使用可能なほぼ全ての時間を第２の持続期間に割り当てることを決定し得る。さらに別の側面において、使用可能な電力レベル値が使用可能な電力の割合を示す場合、デバイスは、デバイスがポーリングモードに割り当てるＲＦ発見ループ内の時間の割合を示すために使用可能な電力レベルの割合を適用し得る。別の側面において、ＮＦＣデバイスは、これらに限定されないが、ユーザ入力、デバイスの位置、デバイスの方位、デバイスの動き、または電力消費の履歴等、またはそれらの任意の組み合わせのような１つまたは複数の追加の要素に基づいて、第１および第２の持続期間を決定し得る。
【００３１】
[0038]４０６において、ＮＦＣデバイスは、決定された第１の持続期間および第２の持続期間に基づいて、ＲＦ発見ループを選択し得る。ある側面において、ＲＦ発見ループは、ＮＦＣデバイスに格納された１つまたは複数のＲＦ発見ループから選択され得る。こういった側面において、ＮＦＣデバイスに格納された各ＲＦ発見ループは、異なる第１の持続期間および第２の持続期間によって定義され得る。別の側面において、ＮＦＣデバイスに格納されたＲＦ発見ループは、第１の持続期間および第２の持続期間に関する発生の異なる頻度（ｄｉｆｆｅｒｅｎｔ  ｆｒｅｑｕｅｎｃｙ）によって定義され得る。
【００３２】
[0039]４０８において、ＮＦＣデバイスは、選択されたＲＦ発見ループを用いて、ピアモード発見を実行し得る。
【００３３】
[0040]図５は、ピアモードパッシブ通信のためのＲＦ発見を向上するための別のプロセス５００を説明するフローチャートの例を示す。
【００３４】
[0041]ブロック５０２において、ＮＦＣデバイスは、ＮＦＣを動作するために使用可能な電力レベルに関する値を検出し得る。ある側面において、その値は、ＮＦＣデバイスを動作するための残存している電池寿命の割合を示し得る。別の側面において、その値は、ＮＦＣデバイスを動作するための残存している電池寿命の時間数を示し得る。別の側面において、その値は、ＮＦＣデバイスが、ほぼ継続的な電源に接続されているかどうかを示し得る（例えば、充電中、電源出力に接続されているなど）。
【００３５】
[0042]ブロック５０４において、ＮＦＣデバイスは、使用可能な電力レベル値が第１の閾値（例えば、低い閾値）を下回るかどうかを決定する。ブロック５０４において、ＮＦＣデバイスが、使用可能な電力レベル値が低い閾値を下回ると決定するならば、ブロック５０６において、ＮＦＣデバイスは、ＲＦ発見ループ内のポーリングモードに割り当てられる時間の持続期間より長い時間の持続期間をリスニングモードに割り当て得る。
【００３６】
[0043]対照的に、ブロック５０４において、ＮＦＣデバイスが、使用可能な電力レベル値が低い閾値を下回らないと決定するならば、ブロック５０８において、ＮＦＣデバイスは、使用可能な電力レベル値が第２の閾値（例えば、高い閾値）を上回るかどうか決定する。ブロック５０８において、ＮＦＣデバイスが、使用可能な電力レベル値が高い閾値を上回らないと決定するならば、ブロック５１０において、ＮＦＣデバイスは、ＲＦ発見ループ内のポーリングおよびリスニングモードにおよそ同じ時間の持続期間を割り当て得る。ある側面において、デフォルトのＲＦ発見ループは、使用可能な電力レベルが低い閾値を上回り、および高い閾値を下回るときに用いられ得る。
【００３７】
[0044]対照的に、ブロック５０８において、ＮＦＣデバイスが、使用可能な電力レベル値が高い閾値を上回ると決定するならば、ブロック５１２において、ＮＦＣデバイスは、使用可能な電力レベル値が、ほぼ継続的な電源に接続されていることを示すかどうかを決定し得る。ブロック５１２において、ＮＦＣデバイスが、使用可能な電力レベル値が、デバイスがほぼ継続的な電源に接続されていること示していないと決定する場合、ブロック５１４において、ＮＦＣデバイスは、ＲＦ発見ループ内のリスニングモードに割り当てられる時間の持続期間より長い時間の持続期間をポーリングモードに割り当て得る。ブロック５１２において、ＮＦＣデバイスが、使用可能な電力レベル値が、デバイスがほぼ継続的な電源に接続されていることを示していると決定するならば、ブロック５１６において、ＮＦＣデバイスは、ポーリングモードにほぼ全ての使用可能な時間を割り当て得る。
【００３８】
[0045]ブロック５１８において、ＮＦＣデバイスは、決定された第１の持続期間および第２の持続期間に基づいて、ＲＦ発見ループを選択し得る。ある側面において、ＲＦ発見ループは、ＮＦＣデバイスに格納された複数のＲＦ発見ループから選択され得る。こういった側面において、ＮＦＣデバイスに格納された各ＲＦ発見ループは、異なる第１の持続期間および第２の持続期間によって定義され得る。別の側面において、ＮＦＣデバイスに格納された各ＲＦ発見ループは、第１の持続期間および第２の持続期間に関する発生の異なる頻度によって定義され得る。
【００３９】
[0046]ブロック５２０において、ＮＦＣデバイスは、選択されたＲＦ発見ループを用いてピアモード発見を実行し得る。
【００４０】
[0047]図３を参照する一方で、図６をも参照すると、通信デバイス６００のアーキテクチャの一例が示される。図６に示されるように、通信デバイス６００は、例えば、受信アンテナ（不図示）から信号を受信し、受信された信号上の典型的なアクション（例えば、フィルタをかける、増幅する、ダウンコンバートする等）を実行し、およびサンプルを取得するために、調整された信号をディジタル化する受信機６０２を備える。受信機６０２は、受信されたシンボルを復調し、それらをチャネル推定のためにプロセッサ６０６に提供することができる復調器６０４を備えることができる。プロセッサ６０６は、受信機６０２によって受信された情報の解析および／または送信機６２０による送信のための情報の生成のための専用のプロセッサ、通信デバイス６００の１つまたは複数のコンポーネントを制御するプロセッサ、および／または受信機６０２によって受信された情報の解析、送信機６２０による送信のための情報の生成の両方、および通信デバイス６００の１つまたは複数のコンポーネントの制御を行うプロセッサであることができる。さらに、信号は、プロセッサ６０６によって処理された信号を変調し得るモジュレータ６１８を経由し、送信機６２０による送信のために準備され得る。
【００４１】
[0048]通信デバイス６００は、限定されないがプロセッサ６０６のような種々のコンポーネントに動作可能に接続され、および、送信されるためのデータ、受信されたデータ、使用可能なチャネルに関連する情報、ＴＣＰフロー、解析された信号および／または干渉強度に関連するデータ、割り当てられたチャネル、電力、レート、または、同様なものに関連する情報、および、ＮＦＣピアモード接続の確立の際に一助となるいずれその他の適切な情報を記憶することができるメモリ６０８を付加的に備えることができる。ある側面において、メモリ６０８は、１つまたは複数のＲＦ発見ループ６１０を含み得る。ある側面において、ＮＦＣデバイス６００に格納された各ＲＦ発見ループ６１０は、異なる第１の持続期間および第２の持続期間によって定義され得る。別の側面において、ＮＦＣデバイスに各納された各発見ループ６１０は、第１の持続期間および第２の持続期間に関する発生の異なる頻度によって定義され得る。
【００４２】
[0049]さらに、プロセッサ６０６、デバイスホスト６３４、ＮＦＣＣ６３０および／またはＲＦ発見ループ選択モジュール６６０は、ＮＦＣデバイスを動作するために使用可能な電力レベルに関する値を検出するための手段と、決定された使用可能な電力レベル値に少なくとも部分的に基づいて、リスニングモードに割り当てるための第１の持続期間およびポーリングモードに割り当てるための第２の持続期間を決定するための手段と、決定された第１の持続期間および第２の持続期間に基づいて、ＲＦ発見ループを選択するための手段と、選択されたＲＦ発見ループを用いて、ピアモード発見を実行するための手段を提供することができる。
【００４３】
[0050]ここに記載されたデータストア（例えば、メモリ６０８）が揮発性メモリまたは不揮発性メモリであり得、または揮発性と不揮発性両方のメモリを含み得ることが評価されるであろう。説明目的であって、限定ではなく、不揮発性メモリは、読み取り専用メモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、ランダムアクセスメモリ（ＲＡＭ）を含むことができ、それは、外部のキャッシュメモリとして動作する。説明目的であって、限定ではなく、ＲＡＭは、同期式ＲＡＭ（ＳＲＡＭ）、ダイナミックＲＡＭ（ＤＲＡＭ）、同期式ＤＲＡＭ（ＳＤＲＡＭ）、ダブルデータレートＳＤＲＡＭ（ＤＤＲ  ＳＤＲＡＭ）、拡張されたＳＤＲＡＭ（ＥＳＤＲＡＭ）、Ｓｙｎｃｈｌｉｎｋ  ＤＲＡＭ（ＳＬＤＲＡＭ）およびダイレクトラムバスＲＡＭ（ＤＲＲＡＭ）のような多くの形式において使用可能である。標記システムおよび方法のメモリ６０８は、これらのおよびいずれその他の適切なタイプのメモリを、限定されることなく備え得る。
【００４４】
[0051]デバイス６００は、ＮＦＣコントローラ６３０を含み得る。ある側面において、ＮＦＣＣ６３０は、ＲＦ発見モジュール６３２を含み得る。ＲＦ発見モジュール６３２は、ピアモード通信を有効にするために、発見プロセスの一部として、ＲＦ発見ループ（例えば６１０）を用いて、ＲＦ発見を実行するように動作し得る。ＤＨ６３４は、限定されないがＲＦ発見などの種々のＮＦＣ動作を実行するようにＮＦＣＣ６３０を促すためのコマンドを生成するように動作し得る。
【００４５】
[0052]別の側面において、通信デバイス６００は、ＮＣＩ６５０を含み得る。ある側面において、ＮＣＩ６５０は、ＮＦＣ対応アンテナ（例えば、６０２、６２０）とＮＦＣコントローラ６３０およびＤＨ６３４の間の通信を有効にするように動作し得る。ＮＣＩ６５０は、リスニングモードおよび／またはポーリングモードにおいて機能するように動作し得る。
【００４６】
[0053]別の側面において、通信デバイス６００は、ＲＦ発見ループ選択モジュール６６０を含み得る。ＲＦ発見ループ選択モジュール６６０は、ＲＦ発見プロセスの間使用するためのＲＦ発見ループを選択するために動作し得る。ある側面において、ＲＦ発見ループは、通信デバイス６００のメモリ６０８に格納する１つまたは複数のＲＦ発見ループ６１０の選択肢から選択され得る。別の側面において、ＲＦ発見ループ選択モジュール６６０は、これらに限定されないが、ユーザ入力、デバイスの位置、デバイスの方位、デバイスの動き、または電力消費の履歴、または任意のそれらの組み合わせのような１つまたは複数の要素に基づいてＲＦ発見ループを選択し得る。ある側面において、ＲＦ発見ループ選択モジュール６６０は、ポーリングモードおよび／またはリスニングモジュール持続期間決定モジュール６６２を含み得る。ポーリングモードおよび／またはリスニングモジュール持続期間決定モジュール６６２は、通信デバイス６００が少なくとも１つのポーリングモードまたはリスニングモードで動作可能である間の持続期間を決定するように動作し得る。ある側面において、ポーリングモードおよび／またはリスニングモジュール持続期間決定モジュール６６２は、通信デバイス６００を動作するために用いられる電源６７０と関連する使用可能な電力レベル６７２の解析を通じて、ポーリングおよび／またはリスニングモードオペレーションに関する持続期間の長さを決定し得る。電源６７０は、限定されないが、電源出力接続ポイント、バッテリーなどを含み得る。別の側面において、ＲＦ発見ループ選択モジュール６６０は、図４−５に関して説明されたＲＦ発見プロセスを実行するために動作し得る。
【００４７】
[0054]さらに、通信デバイス６００は、ユーザインターフェース６４０を含み得る。ユーザインターフェース６４０は、通信デバイス６００の中へ向け入力を生成するための入力メカニズム６４２、および通信デバイス６００のユーザによる消費に関する情報を生成するための出力メカニズム６４４を含み得る。例えば、入力メカニズム６４２は、キーまたはキーボード、マウス、タッチ−スクリーンディスプレイ、マイクロフォン等を含み得る。さらに、例えば、出力メカニズム６４４は、ディスプレイ、オーディオスピーカ、触覚型フィードバックメカニズム、パーソナルエリアネットワーク(ＰＡＮ）などを含み得る。例示された側面において、出力メカニズム６４４は、イメージまたはビデオ形式にあるメディアコンテンツを提供するように動作可能なディスプレイ、またはオーディオ形式であるメディアコンテンツを提供するためのオーディオスピーカを含み得る。
【００４８】
[0055]図７は、ある側面にしたがって、ＮＦＣデバイスを動作するために使用可能な電力レベルを考慮するピアモードパッシブ通信を実現するために動作可能な例示的な通信システム７００のブロック図を示す。例えば、システム７００は、通信デバイス（例えば、通信デバイス６００）内に少なくとも部分的に存在し得る。システム７００は、機能ブロックを含むように表され、それは、プロセッサ、ソフトウェア、またはそれらの組合せ（例えば、ファ−ムウェア）によって実装可能な機能を表す機能ブロックであり得ることが評価されるだろう。システム７００は、連動して動作可能な電気的なコンポーネントの論理グループ７０２を含む。
【００４９】
[0056]例えば、論理グループ７０２は、ＮＦＣデバイス７０４を動作するために使用可能な電力レベルに関する値を検出するための手段を提供し得る電気的なコンポーネントを含むことができる。ある側面において、その値は、ＮＦＣデバイスを動作するために残存する電池寿命の割合を示し得る。別の側面において、その値は、ＮＦＣデバイスを動作するために残存する電池寿命の時間数を示し得る。別の側面において、その値は、ＮＦＣデバイスが、ほぼ継続的な電源に接続されるかどうかを示し得る（例えば、充電中、電源出力に接続されているなど）。
【００５０】
[0057]さらに、論理グループ７０２は、決定された使用可能な電力レベル値７０６に少なくとも部分的に基づいて、リスニングモードに割り当てるための第１の持続期間およびポーリングモードに割り当てるための第２の持続期間を決定するための手段を提供し得る電気的なコンポーネントを含むことができる。ある側面において、使用可能な電力レベル値が第１の閾値（例えば、低い閾値）を下回るかまたはそれに等しい場合、ＮＦＣデバイスは、第２の持続期間より第１の持続期間により多くの時間を割り当てることを決定し得る。別の側面において、使用可能な電力レベル値が第２の閾値（例えば、高い閾値）より高い場合、ＮＦＣデバイスは、第１の持続期間より第２の持続期間により多くの時間を割り当てることを決定し得る。別の側面において、使用可能な電力レベル値が、装置が充電中であることを示す場合、ＮＦＣデバイスは、第１の持続期間より第２の持続期間により多くの時間を割り当てることを決定し得る。別の側面において、使用可能な電力レベル値が、装置がほぼ継続的な電源に接続されることを示す場合、ＮＦＣデバイスは、ＲＦ発見ループにおいて使用可能なほぼ全ての時間を第２の持続期間に割り当てることを決定し得る。さらに別の側面において、使用可能な電力レベル値が、使用可能な電力の割合を示す場合、デバイスは、デバイスがポーリングモードに割り当てるＲＦ発見ループ内の時間の割合を示すために使用可能な電力レベルの割合を適用し得る。別の側面において、ＮＦＣデバイスは、これらに限定されないが、ユーザ入力、デバイスの位置、デバイスの方位、デバイスの動き、または電力消費の履歴など、または任意のそれらの組み合わせのような１つまたは複数の追加の要素に基づいて、第１および第２の持続期間を決定し得る。
【００５１】
[0058]さらに、論理グループ７０２は、決定された第１の持続期間および第２の持続期間７０８に基づいて、ＲＦ発見ループを選択するための手段を提供し得る電気的なコンポーネントを含むことができる。ある側面において、ＲＦ発見ループは、ＮＦＣデバイスに格納された１つまたは複数のＲＦ発見ループから選択され得る。こういった側面において、ＮＦＣデバイスに格納された各ＲＦ発見ループは、異なる第１の持続期間および第２の持続期間によって定義され得る。別の側面において、ＮＦＣデバイスに格納された各ＲＦ発見ループは、第１の持続期間および第２の持続期間に関する発生の異なる頻度によって定義され得る。
【００５２】
[0059]さらに、論理グループ７０２は、選択されたＲＦ発見ループ７１０を用いてピアモード発見を実行するための手段を提供し得る電気的なコンポーネントを含むことができる。
【００５３】
[0060]さらに、システム７００は、電気的なコンポーネント７０４、７０６、７０８、および７１０と関連する機能を実行するための命令を保持し、電気的なコンポーネント７０４、７０６、７０８、７１０等によって使用されるか、または取得されるデータを格納する、メモリ７１２を含むことができる。メモリ７１２の外部にあるように示されるが、電気的なコンポーネント７０４、７０６、７０８および７１０のうちの１つまたは複数は、メモリ７１２内に存在し得ることが理解されるべきである。一例において、電気的なコンポーネント７０４、７０６、７０８、および７１０は、少なくとも１つのプロセッサを含むことができ、または各電気的なコンポーネント７０４、７０６、７０８および７１０は、少なくとも１つのプロセッサの対応するモジュールであり得る。さらに、付加的または代替例において、電気的なコンポーネント７０４、７０６、７０８、および７１０は、コンピュータ可読媒体を含むコンピュータプログラム製品であり得、その場合、各電気的なコンポーネント７０４、７０６、７０８および７１０は、対応するコードであり得る。
【００５４】
[0061]本明細書において用いられるように、用語「コンポーネント」、「モジュール」、「システム」等は、ハードウェア、ファ−ムウェア、ハードウェアとソフトウェアの組合せ、ソフトウェア、または実行中のソフトウェアのようなコンピュータ−関連のエンティティを含むよう意図されているが、それらに限定されない。例えば、コンポーネントは、プロセッサ上で作動中のプロセス、プロセッサ、オブジェクト、実行ファイル、実行のスレッド、プログラム、および／またはコンピュータであり得るが、それらに限定されない。例示目的のために、コンピューティングデバイス上で作動中のアプリケーションおよびコンピューティングデバイスの両方は、コンポーネントであることができる。１つまたは複数のコンポーネントは、実行のプロセスおよび／またはスレッド内に存在し得、コンポーネントは、１つのコンピュータ上でローカライズされ得、および／または２つ以上のコンピュータの間で分散され得る。さらに、これらのコンポーネントは、種々のデータ構造を格納している種々のコンピュータ可読媒体から実行することができる。コンポーネントは、例えば、１つまた複数のデータパケットを持つ信号にしたがったローカルおよび／またはリモートプロセスを経由して、例えば、ローカルシステム内の別のコンポーネントと相互作用する１つのコンポーネントからのデータを経由して、および／または信号を経由する他のシステムを用いるインターネットのようなネットワークをわたって通信し得る。
【００５５】
[0062]さらに、種々の側面は、端末と関連してここに記載され、それらは有線端末または無線端末であり得る。端末はまた、システム、デバイス、加入者ユニット、加入者局、モバイル局、モバイル、モバイルデバイス、遠隔局、モバイル機器（ＭＥ）、遠隔端末、アクセス端末、ユーザ端末、端末、通信デバイス、ユーザエージェント、ユーザデバイス、またはユーザ機器（ＵＥ）と呼ばれ得る。無線端末は、セルラー電話、衛星電話、コードレス電話、セッション初期化プロトコル（ＳＩＰ）電話、無線ローカルループ（ＷＬＬ）局、パーソナル・ディジタル・アシスタント（ＰＤＡ）、無線接続機能を持つハンドヘルドデバイス、コンピューティングデバイス、または無線モデムに接続される他の処理デバイスであり得る。さらに、種々の側面は、基地局に関連してここに記載される。基地局は、無線端末（複数）と通信するために利用され得、また、アクセスポイント、Ｎｏｄｅ  Ｂ、または他いくつかのターミノロジーと称され得る。
【００５６】
[0063]さらに、用語、「または」は、排他的な「または」ではなく、包括的な「または」を意味するように意図される。すなわち、特別の規定のない限り、または内容から明白な場合、フレーズ「ＸはＡまたＢを用いる」は、自然で包括的な配列のいくつかを意味するように意図される。すなわち、フレーズ「ＸはＡまたはＢを用いる」は、下記の例、ＸはＡを用いるまたはＸはＢを用いる、または、ＸはＡおよびＢの両方を用いる、のいずれかによって満たされる。加えて、本明細書および添付の請求項において用いられる冠詞「ａ」および「ａｎ」は、特別の規定のない限り、または内容から単数形に関することであると明白でない場合、一般的に、「１つまた複数の」を意味すると解釈されるべきである。
【００５７】
[0064]ここに記載された技術は、ＣＤＭＡ、ＴＤＭＡ、ＦＤＭＡ、ＯＦＤＭＡ、ＳＣ−ＦＤＭＡおよび他のシステムのような種々の無線通信局システムのために用いられ得る。用語、「システム」および「ネットワーク」は、多くの場合置き換え可能に用いられる。ＣＤＭＡシステムは、ユニバーサル地上無線アクセス（ＵＴＲＡ）、ｃｄｍａ２０００等のような無線テクノロジーを実装し得る。ＵＴＲＡは、広帯域ＣＤＭＡ（Ｗ−ＣＤＭＡ）およびＣＤＭＡのその他のバリエーションを含む。さらに、ｃｄｍａ２０００は、ＩＳ−２０００、ＩＳ−９５およびＩＳ−８５６の標準をカバーする。ＴＤＭＡシステムは、モバイル通信（ＧＳＭ）（登録商標）に関するグローバルシステムのような無線技術を実装し得る。ＯＦＤＭＡシステムは、進化型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ等、のような無線テクノロジーを実装し得る。ＵＴＲＡおよびＥ-ＵＴＲＡはユニバーサル・モバイル・テレコミュニケーション・システム（ＵＭＴＳ）の一部である。３ＧＰＰロング・ターム・エボリューション（ＬＴＥ）は、Ｅ−ＵＴＲＡを用いるＵＭＴＳの公開であり、それは、ダウンリンク上のＯＦＤＭＡおよびアップリンク上のＳＣ−ＦＤＭＡを用いる。ＵＴＲＡ、Ｅ−ＵＴＲＡ、ＵＭＴＳ、ＬＴＥおよびＧＳＭは、「第３世代パートナーシップ・プロジェクト」（３ＧＰＰ）という名の機構からの文献に記載される。さらに、ｃｄｍａ２０００およびＵＭＢは、「第３世代パートナーシップ・プロジェクト２」（３ＧＰＰ２）という名の機構からの文献に記載される。さらに、こういった無線通信局システムは、多くの場合対では無く無認可のスペクトル、８０２．ｘｘ無線ラン、ＢＬＵＥＴＯＯＴＨ（登録商標）、近接場通信（ＮＦＣ−Ａ、ＮＦＣ−Ｂ、ＮＦＣ、−ｆ等）および任意の他の短距離のまたは長距離の無線通信局技術を用いるピアツーピア（例えば、モバイルツーモバイル）アドホックネットワークシステムを付加的に含み得る。
【００５８】
[0065]種々の側面または特徴は、多数のデバイス、コンポーネント、モジュール等を含み得るシステムの用語で表されるだろう。種々のシステムは、付加的なデバイス、コンポーネント、モジュール等を含み得、および／または、図面に関連して論じられるデバイス、コンポーネント、モジュール等の全てを含み得ないことが理解および評価されるべきである。これらのアプローチの組合せもまた用いられ得る。
【００５９】
[0066]ここで開示された側面に関連して記載された種々の例示的な論理、論理ブロック、モジュール、および回路は、汎用プロセッサ、ディジタル信号プロセッサ（ＤＳＰ）、特定用途向け集積回路（ＡＳＩＣ）、フィールド・プログラマブル・ゲイト・アレイ（ＦＰＧＡ）または他のプログラマブル論理デバイス、ディスクリート・ゲートまたはトランジスタ論理、ディスクリート・ハードウェア・コンポーネント、またはここに記載された機能を実行するために設計されたそれらの任意の組合せとともに実施または実行され得る。汎用プロセッサは、マイクロプロセッサであっても良いが、代替として、プロセッサは、従来のプロセッサ、コントローラ、マイクロコントローラ、またはステートマシーンのいずれかであっても良い。プロセッサはまた、例えば、ＤＳＰとマイクロプロセッサの組合せ、複数のマイクロプロセッサ、ＤＳＰコアと連結する１つまた複数のマイクロプロセッサ、または任意の他のこういった構成のコンピューティングデバイスの組み合わせとして実装され得る。さらに、少なくとも１つのプロセッサは、上述された１つまた複数のステップおよび／または動作を実行するために動作可能な１つまた複数のモジュールを備え得る。
【００６０】
[0067]さらに、ここで開示された側面に関連して記載された方法またはアルゴリズムのステップおよび／または動作は、直接ハードウェアか、プロセッサによって実行されるソフトウェアモジュールか、またはその２つの組合せに統合され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当業者に既知の記憶媒体の任意の他の形式に属し得る。記憶媒体の例は、プロセッサに結合され得、その結果、プロセッサは、記憶媒体から情報を読み取り、および記憶媒体へ情報を書き込むことができる。代替として、記憶媒体は、プロセッサに統合され得る。さらに、いくつかの側面において、プロセッサおよび記憶媒体は、ＡＳＩＣ内に存在し得る。さらに、ＡＳＩＣはユーザ端末に属し得る。代替として、プロセッサおよび記憶媒体は、ユーザ端末内のディスクリートコンポーネントとして存在し得る。さらに、いくつかの側面において、方法またはアルゴリズムのステップおよび／または動作は、機械可読媒体および／またはコンピュータ可読媒体上のコードおよび／または命令のうちの１つ、または任意の組み合わせ、またはセットとして存在し得、それは、コンピュータプログラム製品に組み込まれ得る。
【００６１】
[0068]１つまた複数の側面において、記載された機能は、ハードウェア、ソフトウェア、ファ−ムウェア、またはそれらの任意の組合せに実装され得る。ソフトウェアに実装される場合、機能は、コンピュータ可読媒体上の１つまた複数の命令またはコードとして記憶または送信され得る。コンピュータ可読媒体は、ある場所から別の場所へ、コンピュータプログラムの転送を容易にする任意の媒体を含むコンピュータ記憶媒体と通信媒体の両方を含む。記憶媒体は、コンピュータによってアクセス可能な任意の入手可能な媒体であり得る。例として、および限定ではなく、こういったコンピュータ可読媒体は、命令またはデータ構造の形式の望ましいプログラムコードを搬送または記憶するように用いられることが可能であり、およびコンピュータによってアクセス可能なＲＡＭ、ＲＯＭ、ＥＥＰＲＯＭ、ＣＤ−ＲＯＭまたは他の光学ディスク記憶装置、磁気ディスク記憶装置または他の磁気記憶デバイス、または任意の他の媒体を備えることができる。同様に、任意の接続は、コンピュータ可読媒体と呼ばれ得る。例えば、ソフトウェアが、同軸ケーブル、光ファイバーケーブル、ツイストペア、ディジタル加入者線（ＤＳＬ）、または赤外線、無線およびマイクロ波のような無線技術を用いるウェブサイト、サーバ、または他の遠隔ソースから送信される場合、同軸ケーブル、光ファイバーケーブル、ツイストペア、ＤＳＬ、または赤外線、無線およびマイクロ波のような無線技術が、媒体の定義に含まれる。ディスク（ｄｉｓｋ）およびディスク（ｄｉｓｃ）は、ここで用いられるように、コンパクトディスク（ＣＤ）、レーザ―ディスク（登録商標）、光ディスク、ディジタル多目的ディスク（ＤＶＤ）、ディスク（ｄｉｓｋ）が通常データを磁気的に再生する場合のフロッピー（登録商標）ディスクおよびｂｌｕ−ｒａｙ（登録商標）ディスクを含み、一方で、ディスク（ｄｉｓｃ）は、レーザを用いてデータを光学的に再生する。上記の組み合わせはまた、コンピュータ可読媒体の範囲に含まれるべきである。
【００６２】
[0069]上記の開示は、例示的な側面および／または側面について検討しているが、種々の変更および修正は、添付の請求項によって定義されように、記載された側面および／または側面の範囲から逸脱することなくここで行われ得ることに留意すべきである。さらに、記載された側面および／または側面の要素は、単数形で記載または請求され得るが、単数形への限定が明白に述べられていない限り、複数形が考えられる。さらに、任意の側面および／または側面の全てまたは一部は、特に明記されない限り、任意の他の側面および／または側面の全てまたは一部とともに利用され得る。
【図１】
2015517283.tif 000003
【図２】
2015517283.tif 000004
【図３】
2015517283.tif 000005
【図４】
2015517283.tif 000006
【図５】
2015517283.tif 000007
【図６】
2015517283.tif 000008
【図７】
2015517283.tif 000009
【国際調査報告】
2015517283.tif 000010
2015517283.tif 000011
2015517283.tif 000012